【事件の表示】
　特願２００１−　４９９５４「液晶表示装置及びそれに用いられる薄膜トランジスタ基板」拒絶査定不服審判事件〔平成１３年　９月２６日出願公開、特開２００１−２６４７８５〕について、次のとおり審決する。
【結　論】
　本件審判の請求は、成り立たない。
【理　由】
第１　手続きの経緯
　平成１３年　２月２６日　特許出願（パリ条約による優先権主張　平成１２年３月１３日　大韓民国）
　平成２３年　２月　１日　拒絶理由通知（同年２月８日発送）
　平成２３年　４月２７日　意見書・手続補正書
　平成２３年　７月　７日　拒絶査定（同年７月１２日送達）
　平成２３年１０月２０日　本件審判請求・手続補正書
　平成２４年　３月１２日　審尋（同年３月１３日発送）
　平成２４年　５月３０日　回答書
　
第２　平成２３年１０月２０日付け手続補正についての補正却下の決定
　
［補正却下の決定の結論］
　
　平成２３年１０月２０日付け手続補正（以下「本件補正」という。）を却下する。
　
［理由］
　
　本件補正のうち、特許請求の範囲の請求項１についてする補正は、補正前に
　
「絶縁基板と、
　前記絶縁基板上に形成されているゲート線と、
　前記ゲート線と絶縁されて交差しているデータ線と、
　前記ゲート線及び前記データ線に連結されていて前記ゲート線の信号によって前記データ線の信号を画素電極に伝達したり遮断したりするスイッチング素子と、
　前記スイッチング素子に連結されていて開口パターンを有する画素電極と、
を含み、
　前記画素電極の開口パターンは多数の開口部からなり、これら開口部は隣接する開口部に対して一定の角度に傾いており、前記一定の角度は５゜乃至４０゜の範囲内であることを特徴とする薄膜トランジスタ基板。」
　
とあったものを、
　
「絶縁基板と、
　前記絶縁基板上に形成されているゲート線と、
　前記ゲート線と絶縁されて交差しているデータ線と、
　前記ゲート線及び前記データ線に連結されていて前記ゲート線の信号によって前記データ線の信号を画素電極に伝達したり遮断したりするスイッチング素子と、
　前記スイッチング素子に連結されていて開口パターンを有する画素電極と、
を含み、
　
１つの
り、間に置かれた他の開口部がない状態で互いに隣接する開口部同士は互いに連結されておらず、前記多数の開口部はジグザグに配列されている
　
に補正するものである。
　上記特許請求の範囲の請求項１についてする補正は、
（ア）「多数の開口部からな」る「開口パターン」を有する「前記画素電極」が、「１つの前記画素電極」であることを明りようにする補正事項、
（イ）「多数の開口部」について、「間に置かれた他の開口部がない状態で互いに隣接する開口部同士は互いに連結されて」いないものに限定する補正事項、
（ウ）「前記多数の開口部」について、「ジグザグに配列されていること」を限定する補正事項、
からなる。　
　上記補正事項（ア）は、平成１４年法律第２４号改正附則第２条第１項によりなお従前の例によるとされる同法による改正前の特許法（以下「平成１４年改正前特許法」という。）第１７条の２第４項第４号に規定する明りようでない記載の釈明を目的とする補正事項であり、また、上記補正事項（イ）、（ウ）は、平成１４年改正前特許法第１７条の２第４項第２号に規定する特許請求の範囲の減縮を目的とする補正事項である。そこで、本件補正後の特許請求の範囲の請求項１に係る発明（以下，「本願補正発明」という。）が特許出願の際独立して特許を受けることができるものであるか（平成１８年法律第５５号改正附則第３条第１項によりなお従前の例によるとされる同法による改正前の特許法（以下「平成１８年改正前特許法」という。）第１７条の２第５項において準用する同法第１２６条第５項の規定する要件を満たすか）否かについて検討する。
　
２　引用する刊行物と引用発明
（１）　刊行物の記載事項
　原査定の拒絶の理由に引用され、本願の優先日前に日本国内で頒布された特開平１０−３３３１７０号公報（以下「刊行物」という。）には、図面とともに、以下の事項が記載されている（なお、下線は、引用発明の認定と特に関連する箇所に、当審が付した下線である。）。
　
ア「【０００１】
【発明の属する技術分野】本発明は、広視野角液晶表示装置に関する。」
　
イ「【０００９】
【発明が解決しようとする課題】本発明は、前記に鑑みてなされたもので、その目的は、広視野角を有する液晶表示装置を提供することにある。また、本発明の目的は、広視野角液晶表示装置における光漏れを防止することにある。」
　
ウ「【００１０】
【課題を解決するための手段】本発明による液晶表示装置は、共通電極が形成されている第１基板と、前記共通電極に対応する位置に画素電極及びこれと重なる維持電極を有する第２基板とからなり、前記共通電極と前記画素電極のうちの１つに開口部が設けられており、前記維持電極は前記開口部に対応する位置に形成されている。
【００１１】この時、維持電極は開口部によって形成されるフリンジフィールドにより発生する光漏れを防止する役割を果たす。
【００１２】ここで、第１基板と前記第２基板との間には負の誘電率異方性を有する液晶物質が注入されており、この液晶物質はキラルネマチック液晶またはキラル添加剤が０．０１−３．０ｗｔ％含有されているネマチック液晶である。
【００１３】そして、第１基板と前記第２基板は、液晶物質の分子軸を垂直に配向するための配向膜が形成されている。このような配向膜はラビング処理をしてもしなくても良い。
【００１４】なお、維持電極はゲート線と連結することができ、２つ以上を形成することもできる。
【００１５】開口部の幅は３−１５μmであることが好ましく、開口部間の幅は８−５０μmに形成することが好ましい。
【００１６】一方、視野角を拡張するために、隣り合う単位画素領域に形成される線形の開口部は、互いに異なる方向に、例えば、画素領域を単位にして横方向と縦方向を繰返すように形成する。このような配置を通して液晶分子が多様な方向にねじられるようにする。」
　
エ「【００１７】
【発明の実施の形態】以下、本発明を明確にするために、図面に基づいて本発明による垂直配向を利用した液晶表示装置の実施例についてより詳しく説明する。
【００１８】図１（Ａ）及び（Ｂ）は、本発明の実施例による
垂直配向を利用した液晶表示装置
【００１９】図１（Ａ）及び（Ｂ）に示すように、
ガラス等からなる２つの基板１、２が向かい合っており、２つの基板１、２の内側面には
透明電極１２、１２０及び配向膜１４、１４０が順に形成されている
２つの基板１、２の間には、負の誘電率異方性を有するキラルネマチック液晶や左旋性または右旋性のキラル添加剤が０．０１−３．０ｗｔ％添加されているネマチック液晶物質からなる液晶層１００がある
それぞれの基板１、２の外側面には、
偏光板１３、１３０がそれぞれ取付けられ
下部基板１に取付けられた偏光板１３の偏光軸(Ａ)は、上部基板２に取付けられた偏光板１３０の偏光軸(Ｂ)に対して９０度の角をなし
【００２０】図１（Ａ）は電界を印加しない場合を示すもので、液晶層１００の液晶分子３は、配向膜１４の配向力によって２つの基板１、２の表面に対して垂直方向に配列されている。
【００２１】この時、下部基板１に取付けられている偏光板１３を通過した光は偏光方向が変わらずに液晶層１００を通過する。次に、この光は、上部基板２に取付けられている偏光板１３０により遮断されてブラック状態を現す。
【００２２】図１（Ｂ）は、電界を十分に印加した場合を示すもので、液晶分子３は下部基板１から上部基板２に至るまで９０度の角度をなすように螺線状にねじれているため、液晶分子３の長軸の方向が連続的に変化するツイスト構造を有する。ここで、２つの基板１、２に隣接した部分では、加えられた電気場による力よりは配向膜１４の配向力が強いので、液晶分子３は垂直に配向されたもとの状態を維持する。
【００２３】この時、下部基板１に取付けられた偏光板１３を通過して偏光された光は、液晶層１００を通過しながらその偏光軸が液晶分子３の長軸方向のねじれに従って９０度回転することになり、これによって、反対側の基板２に取付けられている偏光板１３を通過するようになり、ホワイト状態となる。
【００２４】図２は、本発明の実施例による
垂直配向を利用した液晶表示装置
上部または下部基板１、２に形成されているＩＴＯ電極４、５のうち、上部基板２の電極４の一部が開いている
【００２５】このようなフリンジフィールドによって、開いた部分付近の液晶分子３の長軸は、２つの基板１、２の表面に対して傾いた状態でねじれることになる。
【００２６】本発明の実施例による液晶表示装置は、薄膜トランジスタ基板及びカラーフィルタ基板からなる。
薄膜トランジスタ基板には互いに交差する多数のゲート線とデータ線が形成されており、ゲート線とデータ線に定義される各領域を指す単位画素領域には画素電極及び薄膜トランジスタが形成されている
　
オ「【００２８】まず、図３乃至５を参考にして本発明の第１実施例について説明する。図３は本発明による液晶表示装置におけるカラーフィルタ基板を示した平面図である。図３はカラーフィルタ基板の共通電極を単位画素領域別に開いた構造であって、１つの単位画素領域を示したものである。
【００２９】図３に示したように、１つの単位画素領域Ｐの境界にブラックマトリックス７のパターンが形成されており、共通電極６は全面に形成されている。この時、共通電極６には
縦方向に２つの線形開口部
　
カ「【００３４】図６及び７は開口部が横方向に形成された本発明の第２実施例による構造を示している。図６に示したように、１つの単位画素領域Ｐの境界にブラックマトリックス７のパターンが形成されており、共通電極６は全面に形成されている。ここで共通電極６に形成された
開口部１５は横方向に多数形成されている
　
キ「【００３７】図８乃至１１は、開口部が斜線方向に形成された本発明の第３実施例及び第４実施例による構造を示している。図８及び１０に示したように、１つの単位画素領域Ｐの境界にブラックマトリックス７のパターンが形成されており、共通電極６は全面に形成されている。ここで、共通電極６に形成された開口部１５は斜線方向に形成されている。図８に示した本発明の第３実施例の場合、
画素の右上から左下に向う方向の開口部
画素の右下から左上に向う方向の開口部
それぞれ１つずつ形成されている
２つの開口部が全て画素の右上から左下に向っており、互いに平行に形成されている
　
ク「【００４２】図１２は本発明によるカラーフィルタ基板を示した図面である。図１２に示したように、赤、緑、青色のカラーフィルタに対応する多数の画素領域を定義するブラックマトリックス７のパターンが形成されており、線形の開口部１５が形成されているＩＴＯ電極４が形成されている。ここで、隣り合う画素領域の開口部１５は互いに異なる方向に形成されている。すなわち、
開口部１５が画素を単位として横方向と縦方向に繰返されて形成されている
　
ケ「【００５６】図１６に示した本発明の第６実施例による液晶表示装置の構造は、図１０に示した本発明の
第４実施例による形状の開口部が形成された画素と、これを１８０度回転させた形状の画素とを横方向に交互に配置し、縦方向には同じ列に同じ形状の画素が配列されるように形成したもの
横方向の配列は第７実施例と同様であるが、縦方向にも画素の形状が交互に繰返されるように配置したもの
本発明の第３実施例による形状に開口部が形成された画素と、これを１８０度回転させた形状の画素とを横方向に交互に配置し、縦方向には同じ列に同じ形状の画素が配列されるように形成したもの
横方向の配列は第８実施例と同様であるが、縦方向にも画素の形状が交互に繰返されるように配置したもの
　
コ「【００５９】
本発明の実施例においては、共通電極６に開口部を形成しているが画素電極１０にこれを形成することもできる
　
（２）　引用発明
上記「エ」の【００１９】、【００２４】の記載より、刊行物には、
「ガラス等からなる２つの下部基板と上部基板が向かい合い、
　２つの基板の内側面には透明電極及び配向膜が順に形成され、
　２つの基板の間には、負の誘電率異方性を有するキラルネマチック液晶や左旋性または右旋性のキラル添加剤が０．０１−３．０ｗｔ％添加されているネマチック液晶物質からなる液晶物質からなる液晶層があり、
　それぞれの基板の外側面には、液晶層に入射する光および液晶層を通過して出る光を偏光させる偏光板がそれぞれ取付けられており、
　下部基板に取付けられた偏光板の偏光軸は、上部基板に取付けられた偏光板の偏光軸に対して９０度の角をなしており、
　上部基板の透明電極の一部が開いている、
　垂直配向を利用した液晶表示装置。」
が記載されている。
　ここで、上記「エ」の【００２６】の実施例の記載より、上記「下部基板」は「薄膜トランジスタ基板」であり、上記「上部基板」は「カラーフィルタ基板」である。そして、「薄膜トランジスタ基板には互いに交差する多数のゲート線とデータ線が形成されており、ゲート線とデータ線に定義される各領域を指す単位画素領域には画素電極及び薄膜トランジスタが形成されている」。また、「カラーフィルタ基板には全面に共通電極が形成されており、薄膜トランジスタ基板の単位画素に対応する領域である単位画素領域を定義するブラックマトリックスが形成されている」。
　そして、「透明電極の一部が開い」た開口部の形状として、
（ア）第１実施例：縦方向に互いに平行に形成された２つの線形開口部（【００２９】参照）
（イ）第２実施例：横方向に多数形成された開口部（【００３４】参照）
（ウ）第３実施例：画素の右上から左下に向う方向の開口部及び、画素の右下から左上に向かう方向にそれぞれ１つずつ設けられた開口部（【００３７】参照）
（エ）第４実施例：２つの開口部が全て画素の右上から左下に向かい、互いに平行に形成されている開口部（【００３７】参照）
（オ）第５実施例：画素を単位として横方向と縦方向に繰り返されて形成された開口部（【００４２】参照）
（カ）第６実施例：第４実施例による形状の開口部が形成された画素と、これを１８０度回転させた形状の画素とを横方向に交互に配置し、縦方向には同じ列に同じ形状の画素が配列されるように形成した開口部（【００５６】参照）
（キ）第７実施例：横方向の配列は第６実施例と同様であるが、縦方向にも画素の形状が交互に繰返されるように配置した開口部（【００５６】参照）
（ク）第８実施例：本発明の第３実施例による形状に開口部が形成された画素と、これを１８０度回転させた形状の画素とを横方向に交互に配置し、縦方向には同じ列に同じ形状の画素が配列されるように形成した開口部（【００５６】参照）
（ケ）第９実施例：横方向の配列は第８実施例と同様であるが、縦方向にも画素の形状が交互に繰返されるように配置した開口部（【００５６】参照）
が記載されているところ、以下では、図１８に図示された第８実施例に基づいて引用発明を認定する。そこで、【００２６】の記載を踏まえて図１８をみると、ブラックマトリックスが定義する単位画素領域には、単位画素領域の右上から左下に向う方向の開口部及び、単位画素領域の右下から左上に向かう方向の開口部が、それぞれ分離して、形成されていることがみてとれる。
　さらに、上記「コ」には、画素電極に開口部を形成することが開示されている。
　以上のことから、刊行物には、
「ガラス等からなる薄膜トランジスタ基板とカラーフィルタ基板が向かい合い、
　２つの基板の内側面には透明電極及び配向膜が順に形成され、
　薄膜トランジスタ基板には互いに交差する多数のゲート線とデータ線が形成され、ゲート線とデータ線に定義される各領域を指す単位画素領域には画素電極及び薄膜トランジスタが形成されており、
　カラーフィルタ基板には全面に共通電極が形成され、薄膜トランジスタ基板の単位画素に対応する領域である単位画素領域を定義するブラックマトリックスが形成されており、
　２つの基板の間には、負の誘電率異方性を有するキラルネマチック液晶や左旋性または右旋性のキラル添加剤が０．０１−３．０ｗｔ％添加されているネマチック液晶物質からなる液晶物質からなる液晶層があり、
　それぞれの基板の外側面には、液晶層に入射する光および液晶層を通過して出る光を偏光させる偏光板がそれぞれ取付けられており、
　薄膜トランジスタ基板基板に取付けられた偏光板の偏光軸は、カラーフィルタ基板に取付けられた偏光板の偏光軸に対して９０度の角をなしており、
　画素電極には、単位画素領域の右上から左下に向う方向の開口部及び、単位画素領域の右下から左上に向かう方向の開口部が、それぞれ分離して、形成されている、
　垂直配向を利用した液晶表示装置。」
が記載されているところ、「薄膜トランジスタ基板」に着目すると、刊行物には、以下の発明が記載されている。
「ガラス等からなる薄膜トランジスタ基板であって、
　互いに交差する多数のゲート線とデータ線が形成され、ゲート線とデータ線に定義される各領域を指す単位画素領域には画素電極及び薄膜トランジスタが形成されており、
　画素電極には、単位画素領域の右上から左下に向う方向の開口部及び、単位画素領域の右下から左上に向かう方向の開口部が、それぞれ分離して、形成されている、
　垂直配向を利用した液晶表示装置の薄膜トランジスタ基板。」（以下「引用発明」という。）
　
３　対比
　本願補正発明と引用発明を対比する。
（１）　本願補正発明の「絶縁基板と、前記絶縁基板上に形成されているゲート線と、前記ゲート線と絶縁されて交差しているデータ線と、前記ゲート線及び前記データ線に連結されていて前記ゲート線の信号によって前記データ線の信号を画素電極に伝達したり遮断したりするスイッチング素子と、前記スイッチング素子に連結されてい…る画素電極と、を含」む「薄膜トランジスタ基板」と、引用発明の「ガラス等からなる薄膜トランジスタ基板であって、互いに交差する多数のゲート線とデータ線が形成され、ゲート線とデータ線に定義される各領域を指す単位画素領域には画素電極及び薄膜トランジスタが形成されて」いる「薄膜トランジスタ基板」を対比する。
　引用発明の「ゲート線」は本願補正発明の「ゲート線」に相当し、以下同様に、「データ線」が「データ線」に、「薄膜トランジスタ」が「スイッチング素子」に、「画素電極」が「画素電極」に、「薄膜トランジスタ基板」が「薄膜トランジスタ基板」に、それぞれ相当する。また、引用発明の「薄膜トランジスタ基板」は「ガラス等からなる」ところ、引用発明の「ガラス」は本願補正発明の「絶縁基板」に相当する。そして、引用発明の「薄膜トランジスタ基板」は「液晶表示装置の薄膜トランジスタ基板」であるから、互いに交差する「ゲート線」と「データ線」が「絶縁されて交差」すること、「薄膜トランジスタ」が「ゲート線」の信号によって「データ線」の信号を「画素電極」に伝達したり遮断することは、いずれも技術常識である。
　してみると、本願補正発明の「絶縁基板と、前記絶縁基板上に形成されているゲート線と、前記ゲート線と絶縁されて交差しているデータ線と、前記ゲート線及び前記データ線に連結されていて前記ゲート線の信号によって前記データ線の信号を画素電極に伝達したり遮断したりするスイッチング素子と、前記スイッチング素子に連結されてい…る画素電極と、を含」む「薄膜トランジスタ基板」と、引用発明のガラス等からなる薄膜トランジスタ基板であって、互いに交差する多数のゲート線とデータ線が形成され、ゲート線とデータ線に定義される各領域を指す単位画素領域には画素電極及び薄膜トランジスタが形成されて」いる「薄膜トランジスタ基板」は、相当関係にある。
（２）本願補正発明の「１つの前記画素電極の開口パターンは多数の開口部からなり、これら開口部は隣接する開口部に対して一定の角度に傾いており、前記一定の角度は５゜乃至４０゜の範囲内であり、間に置かれた他の開口部がない状態で互いに隣接する開口部同士は互いに連結されておらず、前記多数の開口部はジグザグに配列されていること」と、引用発明の「画素電極には、単位画素領域の右上から左下に向う方向の開口部及び、単位画素領域の右下から左上に向かう方向の開口部が、それぞれ分離して、形成されている」ことを対比する。
　引用発明において、「画素電極」に、「画素の右上から左下に向う方向の開口部」と「単位画素領域の右下から左上に向かう方向の開口部」が、「それぞれ分離して、形成されている」ていることは、本願補正発明において、「１つの前記画素電極の開口パターンは多数の開口部からなり、これら開口部は隣接する開口部に対して一定の角度に傾いており、…、間に置かれた他の開口部がない状態で互いに隣接する開口部同士は互いに連結されて」いないことに相当するから、両者は、「１つの前記画素電極の開口パターンは多数の開口部からなり、これら開口部は隣接する開口部に対して一定の角度に傾いており、…、間に置かれた他の開口部がない状態で互いに隣接する開口部同士は互いに連結されて」いない点で一致する。
（３）してみると、本願補正発明と引用発明は、
「絶縁基板と、
　前記絶縁基板上に形成されているゲート線と、
　前記ゲート線と絶縁されて交差しているデータ線と、
　前記ゲート線及び前記データ線に連結されていて前記ゲート線の信号によって前記データ線の信号を画素電極に伝達したり遮断したりするスイッチング素子と、
　前記スイッチング素子に連結されていて開口パターンを有する画素電極と、
を含み、
　１つの前記画素電極の開口パターンは多数の開口部からなり、これら開口部は隣接する開口部に対して一定の角度に傾いており、間に置かれた他の開口部がない状態で互いに隣接する開口部同士は互いに連結されていない薄膜トランジスタ基板。」
の点で一致し、以下の点で相違する。
　
相違点１：開口部が隣接する開口部に対して傾く一定の角度が、本願補正発明では、「５゜乃至４０゜」であるのに対し、引用発明では、「単位画素領域の右上から左下に向う方向の開口部」と「単位画素領域の右下から左上に向かう方向の開口部」が一定の角度で傾いているものの、その具体的な角度が不明である点。
　
相違点２：多数の開口部が、本願補正発明では「ジグザグに配列されている」のに対し、引用発明では、開口部の数が２であり、ジグザグに配列されるものではない点。
　
４　判断　
　以下、上記相違点１、２について、まとめて検討する。
（１）　はじめに、本願補正発明において、開口部が隣接する開口部に対して「５゜乃至４０゜の範囲内」で傾くことの技術上の意義について検討する。
　本願の発明の詳細な説明には、以下の記載がある。
ア　「【００１１】…。隣接する二つの開口部がなす角度は５゜乃至４０゜の範囲内であるのが好ましい。」
　
イ　「【００１９】本発明のように開口部７１をスプレー形に形成すると（即ち、互いに傾くように形成すると）、液晶分子の動作が安定してその傾く方向が固定されるためにテクスチャーが小ドメインの中央に安定的に形成される。つまり、テクスチャーが移動するのを防止することができるのでテクスチャーによる画質及び応答速度の低下の問題は発生しない。」
　
ウ　「【００３２】…。従って帯模様の開口部７１、７２は互いに一定の角度に傾いてジグザグに配列されている。ここで隣接する二つの開口部の傾きの程度は５゜乃至４０゜の範囲内である。…」
　
エ　「【００３７】このように画素電極７０にだけ開口部７１、７２を形成する場合には開口部７１、７２によって分割される各小ドメイン内に図１に示したようにテクスチャー（Ｔ）が発生する。ところが、本発明のように開口部７１、７２を互いに傾くように形成すると液晶分子の動作が安定してその傾く方向が固定されるためにテクスチャー（Ｔ）が小ドメインの中央に安定的に形成される。つまり、テクスチャー（Ｔ）が移動するのを防止することができるのでテクスチャーによる画質及び応答速度の低下の問題は発生しない。」
　上記「イ」、「エ」の記載によると、隣接する２つの開口部が互いに傾くことは、液晶分子の動作が安定してその傾く方向が固定されるためにテクスチャーが小ドメインの中央に安定的に形成されるという技術上の意義を有するものの、２つの開口部のなす角度を「５゜乃至４０゜の範囲内」とすることは、その技術上の意義が発明の詳細な説明に記載されておらず不明である。（なお、２つの開口部のなす角度を「５゜乃至４０゜の範囲内」とすることの技術上の意義について審判請求人に説明を求めたところ、審判請求人は、平成２４年１１月１２日付けのファクシミリ「１．（Ｂ）、（Ｃ）」、平成２４年１２月１０日付けのファクシミリ「１．１）、２）」において、開口部の方向が偏光板の偏光方向に対して平行か直交方向であることを前提として、２つの開口部がなす角度が「５゜乃至４０゜の範囲内」であれば、輝度が低下しない旨説明する。しかしながら、前記審判請求人の前記説明を踏まえて本願の特許請求の範囲、明細書、図面を見ても、（ア）特許請求の範囲には、偏光板の偏光方向に関する特定がないこと、（イ）発明の詳細な説明には、輝度に関する記載がないこと、（ウ）発明の詳細な説明には、２つの開口部がなす角度が「５゜乃至４０゜の範囲内」であることと、偏光板の偏光方向を相互に関連付けて説明する記載がないことから、本願補正発明が「５゜乃至４０゜の範囲内」との発明特定事項を有するとしても、輝度が低下しない旨の作用・効果を奏するものと認めることはできない。よって、平成２４年１１月１２日付けと、平成２４年１２月１０日付けの上記ファクシミリの説明を参酌しても、本願補正発明が「５゜乃至４０゜の範囲内」との発明特定事項を備えたことによる格別の技術上の意義は不明と言わざるを得ない。）
（２）　次に、刊行物には、開口部の配置パターンとして種々の配置パターンが記載されている（上記「（ア）〜（キ）」参照。）。また、例えば、特開平１１−１０９３９３号公報には、画素電極に設けた開口部に第二の電極を設けて不均一電界を生じさせるものであって、その第二の電極の形状として様々な形状が図４、図５に記載されており、図５（ｂ）には、ジグザグ状の形状にすることが記載されているところ、開口部の形状は、第二の電極の形状とほぼ同様と考えられるから、開口部の形状として、ジグザグ状の形状にすることも実質的に開示されている。
（３）　そこで、上記相違点１、２について検討する。引用発明は、「単位画素領域の右上から左下に向う方向の開口部」と「単位画素領域の右下から左上に向かう方向の開口部」を有しており、一定の角度で傾いているから、液晶分子の動作が安定しその傾く方向が固定され、テクスチャーが小ドメインの中央に安定的に形成されるものと認められるところ、２つの開口部のなす角度を「５゜乃至４０゜の範囲内」とするものではない。しかしながら、上記（１）で検討したとおり、２つの開口部がなす角度を「５゜乃至４０゜の範囲内」と為すことは、その技術上の意義が不明であること、上記（２）で検討したとおり、開口部の配置パターンとして種々の配置パターンがあることに照らし、２つの開口部がなす角度を「５゜乃至４０゜の範囲内」とすること、開口部をジグザグ状の形状に配置することは、何れも、当業者が適宜為し得る設計的事項に過ぎないものと認められる。
　したがって、引用発明において、上記相違点１、２に係る本願補正発明の発明特定事項と為すことは、当業者が容易に想到し得たことと認められる。
　
　そして、本願補正発明が奏する作用効果も、引用発明に基づいて、当業者が予測しうる程度のものと認められる。
　したがって、本件補正発明は、特許法第２９条第２項の規定により特許出願の際独立して特許を受けることができないものである。
　
５　本件補正についてのむすび
　以上のとおりであるから、本件補正は平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　平成２３年１０月２０日付けの手続補正は上記のとおり却下されたので、本願発明は、平成２３年４月２７日付けの手続補正によって補正された特許請求の範囲の請求項１乃至１１に記載された事項により特定されるとおりのものであるところ、請求項１は以下のとおりである。
「絶縁基板と、
　前記絶縁基板上に形成されているゲート線と、
　前記ゲート線と絶縁されて交差しているデータ線と、
　前記ゲート線及び前記データ線に連結されていて前記ゲート線の信号によって前記データ線の信号を画素電極に伝達したり遮断したりするスイッチング素子と、
　前記スイッチング素子に連結されていて開口パターンを有する画素電極と、
を含み、
　前記画素電極の開口パターンは多数の開口部からなり、これら開口部は隣接する開口部に対して一定の角度に傾いており、前記一定の角度は５゜乃至４０゜の範囲内であることを特徴とする薄膜トランジスタ基板。」（以下「本願発明」という。）
　
２　引用する刊行物と引用発明
　原査定の拒絶の理由に引用された引用例及びその記載事項は、前記「第２　２」に記載したとおりである。
　
３　対比・判断
　本願発明において、「多数の開口部からな」る「開口パターン」を有する「前記画素電極」が、「１つの前記画素電極」であることを明りようにするとともに、「多数の開口部」を「間に置かれた他の開口部がない状態で互いに隣接する開口部同士は互いに連結されて」いないものに限定し、「前記多数の開口部」を「ジグザグに配列されていること」を限定した本願補正発明は、上記「第２」で検討したとおり、引用発明に基づいて当業者が容易に発明をすることができたものである。
　そうすると、本願発明の構成要件をすべて含み、さらに他の構成要件を付加したものに相当する本願補正発明が、前記「第２　４」に記載したとおり引用発明に基いて当業者が容易に発明をすることができたものであるから、本願発明も同様の理由により、引用発明に基いて当業者が容易に発明をすることができたものである。 
　
４　むすび
　以上のとおり、本願発明は、引用発明に基づいて当業者が容易に発明をすることができたものであるから、特許法第２９条第２項の規定により、特許を受けることができない。
　よって、上記結論のとおり審決する。